【手続補正書】
【提出日】平成22年7月21日(2010.7.21)
【手続補正１】
【補正対象書類名】特許請求の範囲
【補正対象項目名】全文
【補正方法】変更
【補正の内容】
【特許請求の範囲】
【請求項１】
放射線撮影によって被写体を透過した放射線を検出し、放射線画像情報に変換する放射線検出器と、少なくとも前記放射線検出器に電力を供給するバッテリ部とを有する放射線検出装置において、
前記バッテリ部は、２つ以上のバッテリを具備し、少なくとも１回分の放射線撮影に必要な容量に設定されていることを特徴とする放射線検出装置。
【請求項２】
請求項１記載の放射線検出装置において、
各前記バッテリは、少なくとも１回分の放射線撮影に必要な容量に設定されていることを特徴とする放射線検出装置。
【請求項３】
請求項１記載の放射線検出装置において、
前記バッテリ部は、
少なくとも前記放射線検出器に対する電力供給のための給電ラインと、
外部からの供給エネルギを電力エネルギに変換するエネルギ変換部と、
前記エネルギ変換部につながる充電ラインと、
前記２つ以上のバッテリを前記給電ラインと前記充電ラインに選択的に接続するためのバッテリ切替部とを有することを特徴とする放射線検出装置。
【請求項４】
請求項３記載の放射線検出装置において、
前記バッテリ切替部は、放射線撮影の回数に基づいて、前記２つ以上のバッテリを前記給電ラインと前記充電ラインに選択的に接続することを特徴とする放射線検出装置。
【請求項５】
請求項４記載の放射線検出装置において、
前記バッテリ切替部は、１回の放射線撮影ごとに、１つのバッテリを前記給電ラインに順番に接続することを特徴とする放射線検出装置。
【請求項６】
請求項３記載の放射線検出装置において、
少なくとも撮影条件に応じて１回の放射線撮影に必要な容量を求める容量演算部を有し、
前記バッテリ切替部は、前記必要な容量に対応する数のバッテリを、前記給電ラインに選択的に接続することを特徴とする放射線検出装置。
【請求項７】
請求項３記載の放射線検出装置において、
前記供給エネルギは、外部から無線によって前記エネルギ変換器に供給されることを特徴とする放射線検出装置。
【請求項８】
放射線撮影によって被写体を透過した放射線を検出し、放射線画像情報に変換する放射線検出器と、少なくとも前記放射線検出器に電力を供給するバッテリ部とを有する放射線検出装置を有する放射線画像撮影システムにおいて、
前記放射線検出装置の前記バッテリ部は、２つ以上のバッテリを具備し、少なくとも１回分の放射線撮影に必要な容量に設定され、
前記放射線撮影の回数に基づいて、使用する前記バッテリを選定するバッテリ選定手段と、
使用したバッテリに対して充電を行う充電手段とを有することを特徴とする放射線画像撮影システム。
【手続補正２】
【補正対象書類名】明細書
【補正対象項目名】発明の名称
【補正方法】変更
【補正の内容】
【発明の名称】放射線検出装置及び放射線画像撮影システム
【手続補正３】
【補正対象書類名】明細書
【補正対象項目名】０００１
【補正方法】変更
【補正の内容】
【０００１】
本発明は、被写体に放射線を照射して放射線画像の撮影を行うための放射線検出装置と、該放射線検出装置を使用した放射線画像撮影システムに関する。
【手続補正４】
【補正対象書類名】明細書
【補正対象項目名】００１４
【補正方法】変更
【補正の内容】
【００１４】
本発明はこのような課題を考慮してなされたものであり、電子カセッテに搭載されるバッテリとして、最低２つの少容量のバッテリで構成することができ、電子カセッテの小型、軽量化を図ることができる放射線検出装置及び放射線画像撮影システムを提供することを目的とする。
【手続補正５】
【補正対象書類名】明細書
【補正対象項目名】００１５
【補正方法】変更
【補正の内容】
【００１５】
第１の本発明に係る放射線検出装置は、放射線撮影によって被写体を透過した放射線を検出し、放射線画像情報に変換する放射線検出器と、少なくとも前記放射線検出器に電力を供給するバッテリ部とを有する放射線検出装置において、
前記バッテリ部は、２つ以上のバッテリを具備し、少なくとも１回分の放射線撮影に必要な容量に設定されていることを特徴とする。
【手続補正６】
【補正対象書類名】明細書
【補正対象項目名】００１６
【補正方法】変更
【補正の内容】
【００１６】
第２の本発明に係る放射線画像撮影システムは、放射線撮影によって被写体を透過した放射線を検出し、放射線画像情報に変換する放射線検出器と、少なくとも前記放射線検出器に電力を供給するバッテリ部とを有する放射線検出装置を有する放射線画像撮影システムにおいて、
前記放射線検出装置の前記バッテリ部は、２つ以上のバッテリを具備し、少なくとも１回分の放射線撮影に必要な容量に設定され、
前記放射線撮影の回数に基づいて、使用する前記バッテリを選定するバッテリ選定手段と、
使用したバッテリに対して充電を行う充電手段とを有することを特徴とする。
【手続補正７】
【補正対象書類名】明細書
【補正対象項目名】００１７
【補正方法】変更
【補正の内容】
【００１７】
以上説明したように、本発明に係る放射線検出装置及び放射線画像撮影システムによれば、電子カセッテに搭載されるバッテリとして、最低２つの少容量のバッテリで構成することができ、電子カセッテの小型、軽量化を図ることができる。
【手続補正８】
【補正対象書類名】明細書
【補正対象項目名】００１８
【補正方法】変更
【補正の内容】
【００１８】
以下、本発明に係る放射線検出装置及び放射線画像撮影システムの実施の形態例を図１〜図６を参照しながら説明する。
【手続補正９】
【補正対象書類名】明細書
【補正対象項目名】００１９
【補正方法】変更
【補正の内容】
【００１９】
本実施の形態に係る放射線画像撮影システム１０は、図１に示すように、撮影条件に従った線量からなる放射線Ｘを患者２２（被写体）に照射する放射線源２４と、放射線源２４を制御する線源制御装置２６と、患者２２を透過した放射線Ｘを検出する放射線検出器（放射線変換パネル）を内蔵した放射線検出装置（以下、電子カセッテ２８と記す）と、電子カセッテ２８の充電処理を行うクレードル３０と、放射線源２４の撮影スイッチを有し、撮影作業を含む状態確認のために技師が所持する携帯情報端末３２と、線源制御装置２６、電子カセッテ２８、クレードル３０及び携帯情報端末３２を制御するとともに、必要な情報の授受を行うコンソール３４（制御装置）とを備える。
【手続補正１０】
【補正対象書類名】明細書
【補正対象項目名】００２１
【補正方法】変更
【補正の内容】
【００２１】
電子カセッテ２８は、図２に示すように、放射線Ｘを透過させる材料からなる筐体４０を備える。筐体４０の内部には、放射線Ｘが照射される照射面側から、患者２２による放射線Ｘの散乱線を除去するグリッド４２、患者２２を透過した放射線Ｘを検出する放射線検出器４４、及び、放射線Ｘのバック散乱線を吸収する鉛板４６が順に配設される。
【手続補正１１】
【補正対象書類名】明細書
【補正対象項目名】００２２
【補正方法】変更
【補正の内容】
【００２２】
また、筐体４０の内部には、図２に示すように、電子カセッテ２８の電源であるバッテリ部４８と、放射線検出器４４を駆動制御するカセッテ制御部５２と、放射線検出器４４によって検出した放射線Ｘの画像情報を含む信号を、クレードル３０、携帯情報端末３２及びコンソール３４との間で送受信する送受信部５４とが収容される。なお、カセッテ制御部５２及び送受信部５４には、放射線Ｘが照射されることによる損傷を回避するため、筐体４０の照射面側に鉛板等を配設しておくことが好ましい。
【手続補正１２】
【補正対象書類名】明細書
【補正対象項目名】００９０
【補正方法】変更
【補正の内容】
【００９０】
例えば、電子カセッテ２８に収容される放射線検出器４４は、入射した放射線Ｘの線量を光電変換層６４によって直接電気信号に変換するものであるが、これに代えて、入射した放射線Ｘをシンチレータによって一旦可視光に変換した後、この可視光をアモルファスシリコン（ａ−Ｓｉ）等の固体検出素子を用いて電気信号に変換するように構成した放射線検出器を用いてもよい（特許第３４９４６８３号公報参照）。
【手続補正１３】
【補正対象書類名】図面
【補正対象項目名】図４
【補正方法】変更
【補正の内容】
【図４】
2009198982.tif 000001